(57)【要約】【課題】名刺に付与された被管理者情報を有効的且つ効率的に収集し利用可能な情報管理システムを提供する。【解決手段】被管理者Ｐ２の被管理者情報２１を保有する名刺２と、外部通信ネットワークＮＴに通信可能に接続され、被管理者情報２１の情報データを蓄積保有する管理サーバ３と、外部通信ネットワークＮＴに接続可能な情報通信端末４とを備える情報管理システム１であって、名刺２は、情報データを記憶し且つ専用端末との間で近距離無線通信可能な無線タグ２３を備え、情報通信端末４は、無線タグ２３と近距離無線通信可能な無線通信手段４３を備え、無線通信手段４３を無線タグ２３に所定距離内まで近接させることで、名刺２と情報通信端末４との間で情報データが送受されるようにした。【選択図】図１
2020194226.tif 000002
【特許請求の範囲】
【請求項１】
被管理者の氏名や連絡先などの被管理者情報を保有する名刺と、
外部通信ネットワークに通信可能に接続され、前記被管理者情報の情報データを蓄積保有する管理サーバと、
外部通信ネットワークに接続可能な情報通信端末と、を備える情報管理システムであって、
名刺は、前記情報データを記憶し且つ専用端末との間で近距離無線通信可能な無線タグを備え、
情報通信端末は、前記無線タグと近距離無線通信可能な無線通信手段を備え、
前記無線タグに前記無線通信手段を所定距離内まで近接させることで、名刺と情報通信端末との間で前記情報データが送受される構成とした、情報管理システム。
【請求項２】
請求項１に記載の情報管理システムにおいて、
名刺は、管理サーバが保有する前記被管理者情報の情報閲覧ページに外部通信ネットワークを通じてアクセスするための二次元コードをさらに備え、
情報通信端末は、前記二次元コードを読み取り可能なコード読取手段を備え、
前記コード読取手段によって前記二次元コードを読み取ることで、情報通信端末にて管理サーバの該当する被管理者情報の情報閲覧ページにアクセスし、閲覧可能となる構成とした、情報管理システム。
【請求項３】
請求項１又は２に記載の情報管理システムにおいて、
情報通信端末に記憶された前記情報データと管理サーバに記憶された前記情報データとを照合し一致させる同期機能を備える、情報管理システム。
【請求項４】
請求項１〜３のいずれか１項に記載の情報管理システムにおいて、
前記無線タグは、任意に設定された認証用のパスワードを記憶可能な記憶手段を備え、
前記パスワードにより認証された情報通信端末と名刺との間で前記情報データの送受が許可される構成とした、情報管理システム。
【発明の詳細な説明】
【技術分野】
【０００１】
本発明は、名刺に付与された被管理者情報を収集し管理する情報管理システムに関する。
【背景技術】
【０００２】
初対面の人と会った際に、名刺交換を行うことがあるが、受け取った名刺の情報を管理する負担は大きい。そこで従来、名刺に記載された相手（被管理者）の氏名や会社名、連絡先などの被管理者情報を、専用のイメージスキャナで画像として読み取り、ＯＣＲ処理により文字データに変換して自己（管理者）のコンピュータや外部サーバに蓄積し管理するように構成された情報管理システムが知られている（例えば、特許文献１参照）。
【先行技術文献】
【特許文献】
【０００３】
【特許文献１】特開２００７−１８３７５４号公報
【発明の概要】
【発明が解決しようとする課題】
【０００４】
しかしながら、上記従来の情報管理システムでは、名刺の印刷品質やイメージスキャナによる読み取り画質が悪い場合、名刺に記載された被管理者情報が誤った文字データに変換されてしまい、正確で有用な情報が得られない問題があった。しかも、このものでは、上記イメージスキャナを利用できる場所でしか名刺の読み取り作業を行うことができないから、受け取った名刺の情報がデータ化されて利用可能になるまでに時間や手間も要する。
【０００５】
本発明は、以上の問題に鑑みてなされたものであり、名刺に付与された被管理者情報を有効的且つ効率的に収集し利用可能な情報管理システムを提供することを目的とする。
【課題を解決するための手段】
【０００６】
本発明に係る情報管理システムは、
被管理者の氏名や連絡先などの被管理者情報を保有する名刺と、
外部通信ネットワークに通信可能に接続され、前記被管理者情報の情報データを蓄積保有する管理サーバと、
外部通信ネットワークに接続可能な情報通信端末と、を備える情報管理システムであって、
名刺は、前記情報データを記憶し且つ専用端末との間で近距離無線通信可能な無線タグを備え、
情報通信端末は、前記無線タグと近距離無線通信可能な無線通信手段を備え、
前記無線タグに前記無線通信手段を所定距離内まで近接させることで、名刺と情報通信端末との間で前記情報データが送受される構成としたものである。
また、名刺は、管理サーバが保有する前記被管理者情報の情報閲覧ページに外部通信ネットワークを通じてアクセスするための二次元コードをさらに備え、
情報通信端末は、前記二次元コードを読み取り可能なコード読取手段を備え、
前記コード読取手段によって前記二次元コードを読み取ることで、情報通信端末にて管理サーバの該当する被管理者情報の情報閲覧ページにアクセスし、閲覧可能となる構成としてもよい。
また、情報通信端末に記憶された前記情報データと管理サーバに記憶された前記情報データとを照合し一致させる同期機能を備えるものとしてもよい。
また、前記無線タグは、任意に設定された認証用のパスワードを記憶可能な記憶手段を備え、
前記パスワードにより認証された情報通信端末と名刺との間で前記情報データの送受が許可される構成としてもよい。
【発明の効果】
【０００７】
本発明に係る情報管理システムによれば、名刺に情報通信端末を近づけることで、名刺の無線タグに記憶された被管理者情報の情報データを情報通信端末にて直接取得することができるから、場所に制限されることなく、被管理者である相手の正確な被管理者情報を管理者である自己の情報通信端末にて容易に蓄積したり、閲覧したり、或いは外部通信ネットワークを通じて管理サーバに転送し蓄積させたりできる。これにより、名刺に付与された被管理者情報を有効的且つ効率的に収集し利用可能な情報管理システムを実現できる。また、上記のように名刺に情報通信端末を近づけることで、自己又は相手の情報通信端末から名刺の無線タグに追加の情報データを送信し記憶させることもできるから、両者間で容易に情報を共有できる。よって、利便性も格段に向上する。
【図面の簡単な説明】
【０００８】
【図１】本発明の実施形態に係る情報管理システムの一例を示す概略構成図である。
【図２】本発明の実施形態に係る情報管理システムの一例を示すブロック図である。
【図３】本発明の実施形態に係る情報管理システムの情報通信端末にて表示させる情報閲覧ページの一例を示す図である。
【発明を実施するための形態】
【０００９】
以下に、本発明の実施形態について図面を参照しながら説明する。
図１および図２に示すように、本発明の実施形態に係る情報管理システム１は、管理者Ｐ１となる自己が、名刺２に付与された被管理者Ｐ２である相手の氏名や連絡先などの被管理者情報２１を収集し管理するシステムであって、主として、被管理者情報２１を保有する名刺２と、外部通信ネットワークＮＴに通信可能に接続され、複数の被管理者情報２１の情報データを蓄積保有する管理サーバ３と、外部通信ネットワークＮＴに接続可能な情報通信端末４とで構成される。
【００１０】
名刺２は、樹脂又は紙により形成されたカードであり、表面２Ａには、被管理者情報２１として被管理者Ｐ２の氏名や会社名、所属部署、連絡先などの基本情報２１Ａと、管理サーバ３に蓄積された被管理者情報２１の情報閲覧ページ３００にアクセスするための二次元コード２２とが印刷されている。名刺２の裏面２Ｂには、被管理者情報２１の情報データを記憶し且つ情報通信端末４との間で近距離無線通信可能な無線タグ２３が外から見えるように貼着されている。
【００１１】
二次元コード２２は、管理サーバ３の情報閲覧ページ３００に外部通信ネットワークＮＴを通じてアクセスするための文字列を、所謂ＱＲコード（登録商標）と称されるマトリクス状のドットパターンに変換したものであり、本実施形態では、名刺２に記載された被管理者Ｐ２個人の情報閲覧ページ３００に直接アクセスするための文字列を変換したものである。
【００１２】
無線タグ２３は、専用端末（ここでは、情報通信端末４）との間で近距離無線通信により相互にデータ通信可能な所謂ＲＦタグと称される集積回路であり、名刺２の表面２Ａに記載された基本情報２１Ａを含む被管理者情報２１の情報データを記憶する記憶手段としてのメモリ部２０１と、情報通信端末４の無線通信部４３から発信される電波を受信して動作電力を発生させると共に、情報通信端末４との間で情報データの送受を行うアンテナ部２０２と、アンテナ部２０２による情報データの送受動作を制御する通信回路２０３とを備えている（図２参照）。
【００１３】
無線タグ２３のメモリ部２０１には、被管理者情報２１の情報データとして、被管理者Ｐ２の氏名や会社名、所属部署、連絡先など名刺２の表面２Ａに記載された基本情報２１Ａに加え、被管理者Ｐ２の顔写真や面談日、経歴、趣味、特技など名刺２に記載されていない他の共有情報２１Ｂが予め記憶されている。また、メモリ部２０１には、情報通信端末４によって任意に設定された認証用のパスワードを記憶させることもできる。
【００１４】
管理サーバ３は、情報通信端末４から転送される被管理者情報２１の情報データを記憶する情報記憶部３４と、外部通信ネットワークＮＴとの通信を行うネット通信部３５と、情報記憶部３４やネット通信部３５など管理サーバ３全体の動作を制御するサーバ制御部３６とを備えている（図２参照）。なお、本実施形態では、管理サーバ３は、管理者Ｐ１の所属会社の社内ネットワークサーバが用いられるが、被管理者Ｐ２の所属会社の社内ネットワークサーバが用いられてもよいし、本情報管理システム１を運用するサービス会社のネットワークサーバが用いられてもよい。
【００１５】
情報記憶部３４には、情報通信端末４から転送された被管理者情報２１の情報データとして、名刺２の表面２Ａに記載された基本情報２１Ａに加え、名刺２に記載されていない他の共有情報２１Ｂが記憶される。また、情報記憶部３４には、被管理者Ｐ２の個々の情報閲覧ページ３００へのアクセスを許可するためのログインパスワードが複数記憶される。なお、本実施形態では、複数の管理者Ｐ１の情報通信端末４から一の管理サーバ３に情報データが転送され、それぞれ個別に管理される。
【００１６】
図示しないが、サーバ制御部３６は、ネット通信部３５による外部通信ネットワークＮＴとの通信動作を制御するネットワーク通信制御部、情報通信端末４から転送された情報データを情報記憶部３４に蓄積し管理する情報管理制御部等の制御構成を備えている。
【００１７】
サーバ制御部３６の情報管理制御部は、情報記憶部３４に記憶された被管理者情報２１に基づき、被管理者Ｐ２毎の情報閲覧ページ３００を生成するページ生成機能と、情報記憶部３４に記憶された被管理者情報２１と情報通信端末４に記憶された被管理者情報２１とを照合し一致させる同期機能と、一の被管理者Ｐ２の情報閲覧ページ３００にメッセージが投稿された場合に、該当する被管理者Ｐ２の情報通信端末４に対してメッセージの投稿がなされた旨を通知する通知機能とを有している。また、上記情報管理制御部は、情報通信端末４によって入力されたログインパスワードと情報記憶部３４に記憶されたログインパスワードとを照合する閲覧認証機能を有している。
【００１８】
情報閲覧ページ３００には、被管理者Ｐ２個人の基本情報２１Ａ及び共有情報２１Ｂが掲載される。また、情報閲覧ページ３００には、共有情報２１Ｂとして、被管理者Ｐ２の趣味の写真や関連動画を視聴するためのリンクＭや、情報を共有する相手側（管理者Ｐ１又は被管理者Ｐ２）に次回の面談予定日や面談場所、面談概要等のメッセージを書き込み可能なメッセージ記入欄Ｓが設けられる。即ち、サーバ制御部３６の情報管理制御部は、被管理者Ｐ２個人の情報閲覧ページ３００を生成する。なお、本実施形態では、管理サーバ３に情報データを転送させた管理者Ｐ１毎に専用の情報閲覧ページ３００が生成される。従って、一の管理者Ｐ１が被管理者Ｐ２の情報閲覧ページ３００に投稿したメッセージや他の追加情報は、その管理者Ｐ１と被管理者Ｐ２との間でのみ共有される。
【００１９】
情報通信端末４は、管理者Ｐ１や被管理者Ｐ２が携帯し使用する所謂スマートフォンやタブレットＰＣと称される通信端末であり、操作機能及び表示機能を兼備する操作表示部４１と、写真や動画の撮像、二次元コード２２の読み取りが可能なコード読取手段としてのカメラ部４２と、上記無線タグ２３との間で近距離無線通信可能な無線通信手段としての無線通信部４３とを備えている。
【００２０】
また、情報通信端末４は、上記無線タグ２３から受信した被管理者情報２１の情報データを記憶する情報記憶部４４と、外部通信ネットワークＮＴとの通信を行うネット通信部４５と、操作表示部４１やカメラ部４２、無線通信部４３、情報記憶部４４、ネット通信部４５など情報通信端末４全体の動作を制御する端末制御部４６とを備えている（図２参照）。
【００２１】
操作表示部４１は、静電容量式や感圧式等のタッチパネルであり、操作表示部４１に表示される擬似操作子をタッチ操作することで、カメラ部４２による二次元コード２２の読み取りを指示したり、無線通信部４３による無線タグ２３からの情報データの受信を許可したり、ネット通信部４５による管理サーバ３へのアクセスを許可したりできる。
【００２２】
無線通信部４３は、所定周波数帯の電波を利用して、比較的短距離間（例えば、１０ｃｍ以下）で無線タグ２３とのデータ通信を行う所謂ＮＦＣと称される非接触式のデータ通信機構であり、外部に所定周波数の電波を発信させるアンテナ部４０２と、アンテナ部４０２による電波の発信や上記情報データの送受動作を制御する通信回路４０３とを備えている。
【００２３】
情報記憶部４４には、名刺２から受信した被管理者情報２１の情報データとして、名刺２の表面２Ａに記載された基本情報２１Ａに加え、名刺２に記載されていない他の共有情報２１Ｂが記憶される。また、情報記憶部４４には、操作表示部４１により手動で入力された認証用のパスワードを記憶させることもできる。
【００２４】
図示しないが、端末制御部４６は、操作表示部４１の動作を制御する操作表示制御部、カメラ部４２の動作を制御するカメラ制御部、無線通信部４３による無線タグ２３との近距離無線通信動作を制御する近距離通信制御部、ネット通信部４５による外部通信ネットワークＮＴとの通信動作を制御するネットワーク通信制御部、名刺２から受信した情報データや名刺２に送信する追加情報を情報記憶部４４に蓄積し管理する情報管理制御部等の制御構成を備えている。
【００２５】
端末制御部４６のカメラ制御部は、カメラ部４２で撮像された二次元コード２２から文字列を判別し、その文字列に対応する管理サーバ３の情報閲覧ページ３００に自動又は手動によりアクセスする二次元コード読取機能を有している。
【００２６】
端末制御部４６の近距離通信制御部は、無線通信部４３に対して無線タグ２３が所定距離内まで近接したことを検出して無線タグ２３との通信状態を確立させ、自動又は手動で無線タグ２３から情報データを受信し情報記憶部４４に記憶させたり、情報記憶部４４に記憶された追加情報を無線タグ２３に送信しメモリ部２０１に記憶させたりする近距離無線通信機能を有している。また、上記近距離通信制御部は、無線タグ２３に上記情報データの送受を許可するための認証用のパスワードを設定し記憶させたり、操作表示部４１により手動入力されたパスワード又は情報記憶部４４に記憶されたパスワードと無線タグ２３に記憶されたパスワードとを照合したりする無線通信認証機能を有している。
【００２７】
端末制御部４６の情報管理制御部は、情報記憶部４４に記憶された被管理者情報２１に基づいて被管理者Ｐ２毎の情報閲覧ページ４００を生成し、操作表示部４１に表示させるページ生成機能と、名刺２から受信した被管理者情報２１の情報データを管理サーバ３に転送させる転送機能と、情報記憶部４４に記憶された被管理者情報２１と管理サーバ３に記憶された被管理者情報２１とを照合し一致させる同期機能と、一の被管理者Ｐ２の情報閲覧ページ４００にメッセージが投稿された場合に、該当する被管理者Ｐ２の情報通信端末４に対してメッセージの投稿がなされた旨を通知する通知機能とを有している。
【００２８】
図３に示すように、情報閲覧ページ４００には、被管理者Ｐ２個人の基本情報２１Ａ及びその他共有情報２１Ｂが掲載される。また、情報閲覧ページ４００には、共有情報２１Ｂとして、被管理者Ｐ２の趣味の写真や関連動画を視聴するためのリンクＭや、被管理者Ｐ２に次回の面談予定日時や面談場所、面談概要等のメッセージを書き込み可能なメッセージ記入欄Ｓが設けられる。即ち、端末制御部４６の情報管理制御部は、特定の管理者Ｐ１と被管理者Ｐ２との間において管理サーバ３で生成される情報閲覧ページ３００と共通する内容の情報閲覧ページ４００を生成する。
【００２９】
次に、上記情報管理システム１による被管理者情報２１の収集管理動作の一例を説明する。
名刺２に情報通信端末４が所定距離まで近づけられると、名刺２の無線タグ２３と情報通信端末４の無線通信部４３との間で相互に近距離無線通信可能な状態となる。なお、無線タグ２３に予め認証用のパスワードが設定されている場合、情報通信端末４は、情報通信端末４側で入力又は記憶されたパスワードと無線タグ２３に記憶されたパスワードとを照合し一致した場合に、無線タグ２３と無線通信部４３との間における上記情報データの送受を許可する。即ち、上記パスワードにより認証された情報通信端末４と名刺２との間でのみ上記情報データの送受が許可される。
【００３０】
上記のように無線タグ２３と無線通信部４３との通信状態が確立されると、情報通信端末４は、自動で、或いは操作表示部４１に表示される受信許可の擬似操作子がタッチ操作されることにより手動で、名刺２の無線タグ２３から被管理者情報２１の情報データを受信し、情報記憶部４４に記憶保存させる。また、端末制御部４６の情報管理制御部は、情報記憶部４４に記憶された情報データに基づいて被管理者Ｐ２個人の情報閲覧ページ４００を生成する。これにより、管理者Ｐ１は、情報通信端末４にて被管理者Ｐ２の基本情報２１Ａや共有情報２１Ｂを閲覧することが可能となる。なお、被管理者Ｐ２も同様、上記のように自己の名刺２から情報通信端末４に被管理者情報２１の情報データを受信させれば、情報通信端末４にて自己の基本情報２１Ａや共有情報２１Ｂを閲覧することが可能となる。
【００３１】
また、情報通信端末４の情報記憶部４４に面談概要や自己の電子メールアドレスなど管理者Ｐ１からの追加情報が予め記憶されている場合、情報通信端末４は、上記のように無線タグ２３と無線通信部４３との通信状態が確立されたときに、自動で、或いは被管理者Ｐ２の承諾を得た上で手動により、無線通信部４３から名刺２の無線タグ２３に上記追加情報を送信し、メモリ部２０１に追加記憶させる。
【００３２】
さらに、情報通信端末４は、上記のようにして名刺２から受信した被管理者情報２１の情報データを、外部通信ネットワークＮＴを通じて管理サーバ３に転送し、情報記憶部３４に記憶保存させる。その結果、管理サーバ３においても被管理者Ｐ２個人の情報閲覧ページ３００が生成される。なお、本実施形態では、管理サーバ３及び情報通信端末４のそれぞれにおいて、情報通信端末４に記憶保存された被管理者情報２１と管理サーバ３に記憶保存された被管理者情報２１とが一致しているか否かの照合が適宜行われ、それら両被管理者情報２１が一致していない場合は、情報通信端末４側の被管理者情報２１に管理サーバ３側の被管理者情報２１を一致させる同期処理が行われる。
【００３３】
情報通信端末４のカメラ部４２によって名刺２の二次元コード２２が読み取られると、情報通信端末４は、自動で、操作表示部４１に表示されるアクセス許可の擬似操作子がタッチ操作されることにより手動で、管理サーバ３に外部通信ネットワークＮＴを通じてアクセスし、該当する情報閲覧ページ３００を操作表示部４１に表示させる。これにより、管理者Ｐ１又は被管理者Ｐ２は、情報通信端末４にて情報閲覧ページ３００に掲載された被管理者Ｐ２の基本情報２１Ａや共有情報２１Ｂを閲覧することが可能となる。なお、情報通信端末４の操作表示部４１に情報閲覧ページ３００を表示させるにあたり、管理サーバ３は、情報通信端末４に対してログインパスワードの入力を要求する。そして、情報通信端末４によって入力されたログインパスワードと情報記憶部３４に記憶されたログインパスワードとを照合し一致した場合に、情報通信端末４による情報閲覧ページ３００の表示を許可する。
【００３４】
なお、管理サーバ３の情報閲覧ページ３００のメッセージ記入欄Ｓに、管理者Ｐ１又は被管理者Ｐ２宛てのメッセージが投稿されると、管理サーバ３は、該当する管理者Ｐ１又は被管理者Ｐ２の情報通信端末４に対してメッセージの投稿がなされた旨を通知する。情報通信端末４も同様、情報閲覧ページ４００のメッセージ記入欄Ｓに管理者Ｐ１又は被管理者Ｐ２がメッセージを投稿すると、該当する管理者Ｐ１又は被管理者Ｐ２の情報通信端末４に対してメッセージの投稿がなされた旨を通知する。
【００３５】
このように、本実施形態の情報管理システム１によれば、管理者Ｐ１は、被管理者Ｐ２である相手から名刺２が提示された際に、名刺２に自己の情報通信端末４を所定距離内まで近づけることで、名刺２の無線タグ２３に記憶された被管理者情報２１の情報データを情報通信端末４にて直接受信することができるから、場所に制限されることなく、例えば名刺２が提示されたその場で、相手の正確な被管理者情報２１を自己の情報通信端末４にて容易に蓄積したり、閲覧したり、或いは管理サーバ３に転送し蓄積させたりできる。これにより、名刺２に付与された被管理者情報２１を有効的且つ効率的に収集し利用可能な情報管理システム１を実現できる。
【００３６】
しかも、このものでは、名刺２に記載された基本情報２１Ａに加え、被管理者Ｐ２の顔写真や趣味など名刺２に記載されていない他の共有情報２１Ｂも名刺２から自己の情報通信端末４にて直接取得できるから、汎用性も格段に向上する。
【００３７】
さらに、上記のように情報通信端末４を名刺２に所定距離内まで近づけることで、管理者Ｐ１又は被管理者Ｐ２の情報通信端末４から名刺２の無線タグ２３に追加の情報データを送信し記憶させることもできるから、面談前に被管理者Ｐ２が自己の名刺２に記憶された情報データを更新したり、面談中に管理者Ｐ１が名刺２を介して被管理者Ｐ２に追加の情報データを提供したりできる。即ち、被管理者Ｐ２と管理者Ｐ１との間で容易に情報を共有できる。よって、利便性も格段に向上する。
【００３８】
また、上記情報管理システム１によれば、被管理者Ｐ２は、管理者Ｐ１に被管理者情報２１を提供するにあたり、名刺２を提示して管理者Ｐ１の情報通信端末４にて被管理者情報２１の情報データを読み取ってもらうだけでよいから、従来の名刺のように大量に名刺２を生産して管理者Ｐ１各々に配る必要もない。従ってその分、名刺２の生産コストも低減できるし、名刺２の紛失等によって被管理者情報２１が第三者に漏洩するリスクも低減できる。
【００３９】
特に、上記情報管理システム１によれば、上記のように名刺２の無線タグ２３と情報通信端末４の無線通信部４３との間で近距離無線通信により被管理者情報２１の情報データを送受するだけでなく、名刺２に設けられた二次元コード２２を情報通信端末４のカメラ部４２で読み取ることで、管理サーバ３の該当する情報閲覧ページ３００にアクセスし、名刺２の無線タグ２３に記憶された被管理者情報２１と同一の被管理者情報２１を閲覧することもできるから、被管理者Ｐ２と管理者Ｐ１との間でより円滑に情報を共有できる。よって、利便性が一層向上する。
【００４０】
また、このものでは、情報通信端末４と管理サーバ３との間で被管理者情報２１の情報データが適宜同期されるから、上記のように情報通信端末４の情報閲覧ページ４００を閲覧しても、或いは管理サーバ３の情報閲覧ページ３００を閲覧しても、同一の被管理者情報２１が得られる。また、管理サーバ３及び情報通信端末４のそれぞれに同一の被管理者情報２１が記憶保存されることで、仮に情報通信端末４の故障や動作不良、情報データの消失が生じても、管理サーバ３に記憶保存された情報データを用いて情報通信端末４側の情報データを復旧させることができる。よって、利便性がより一層向上する。
【００４１】
また、上記情報管理システム１によれば、管理者Ｐ１又は被管理者Ｐ２が名刺２から被管理者情報２１を読み取ったり、名刺２に追加情報を書き込んだりするにあたり、パスワードにより認証された情報通信端末４と名刺２との間でのみ上記情報データの送受を許可することもできるから、たとえ名刺２を紛失しても管理者Ｐ１及び被管理者Ｐ２以外の第三者に被管理者情報２１が漏洩するのを防止できるし、名刺２に被管理者Ｐ２の許可なく不要な情報が追加されるのも防止できる。
【００４２】
本発明は、上記実施形態に限定されず、以下のとおり、特許請求の範囲の記載内で様々な構成を採用することが可能である。
【００４３】
例えば、上記実施の形態では、名刺２から情報通信端末４にて被管理者情報２１の情報データが受信されると、その情報データに基づいて情報通信端末４の内部で情報閲覧ページ４００が生成され、管理サーバ３にアクセスしなくても情報通信端末４にて被管理者情報２１を閲覧可能となるものとしたが、名刺２から情報通信端末４にて被管理者情報２１の情報データが受信されると、情報通信端末４の内部で情報閲覧ページ４００を生成しないで、管理サーバ３の情報閲覧ページ３００に外部通信ネットワークＮＴを通じてアクセスし、被管理者情報２１を閲覧可能となるものとしてもよい。
【００４４】
また、上記実施形態では、管理サーバ３において、被管理者情報２１の情報データを転送させた管理者Ｐ１毎に専用の情報閲覧ページ３００が生成され、その管理者Ｐ１と被管理者Ｐ２との間でのみ情報が共有されるものとしたが、管理サーバ３に転送された被管理者情報２１の情報データに基づいて、社内の特定のワークグループ内で共有する情報閲覧ページ３００が生成され、そのワークグループに所属する管理者Ｐ１と被管理者Ｐ２との間で情報が共有されるものとしてもよい。これにより、一の管理者Ｐ１による被管理者Ｐ２との面談情報や行動履歴、取引条件など様々な情報をビッグデータとしてワークグループ内で有効に管理活用することができる。
【００４５】
また、上記実施形態では、管理サーバ３又は情報通信端末４の情報閲覧ページ３００，４００にメッセージが投稿された場合に、相手側の情報通信端末４に対してメッセージが投稿された旨を通知するものとしたが、管理サーバ３又は情報通信端末４の情報閲覧ページ３００，４００のメッセージ記入欄Ｓにメッセージが記入された後、情報閲覧ページ３００，４００に設けられた送信ボタンを押すことで、メッセージ記入欄Ｓに記入されたメッセージ内容が相手側の情報通信端末４に電子メールやショートメッセージサービス等により送信されるものとしてもよい。
【００４６】
また、上記実施形態では、情報通信端末４側の被管理者情報２１と管理サーバ３側の被管理者情報２１とが一致していない場合は、情報通信端末４側の被管理者情報２１に管理サーバ３側の被管理者情報２１を一致させる同期処理が行われるものとしたが、上記両被管理者情報２１が一致していない場合は、管理サーバ３側の被管理者情報２１に情報通信端末４側の被管理者情報２１を一致させる同期処理が行われるものとしてもよい。
【００４７】
二次元コード２２は、名刺２に記載された被管理者Ｐ２個人の情報閲覧ページ３００に直接アクセス可能なものとしたが、管理サーバ３に記憶保存された被管理者Ｐ２一覧のページにアクセス可能なものとしてもよい。また、二次元コード２２には、ＱＲコード（登録商標）が用いられたが、複数の線を平行に並べてなるバーコードを用いてもよいし、その他のパターンの読取コードを用いてもよい。
【００４８】
また、二次元コード２２は、被管理者情報２１と同一面（名刺２の表面２Ａ）に設けられたものを説明したが、被管理者情報２１が印刷されていない側の面（名刺２の裏面２Ｂ）に設けられたものとしてもよい。また、二次元コード２２を備えておらず、管理サーバ３へのアクセスは、情報通信端末４の無線通信部４３によって無線タグ２３から対応する文字列を読み込むことにより行われるようにしてもよい。
【００４９】
無線タグ２３は、被管理者情報２１が印刷されていない側の面（名刺２の裏面２Ｂ）に貼着されたものを説明したが、被管理者情報２１と同一面（名刺２の表面２Ａ）に外から見えるように貼着されたものとしてもよいし、表面２Ａ側の表層部と裏面２Ｂ側の表層部との層間、即ち、内層部に埋設されたものとしてもよい。なお、名刺２の内層部に無線タグ２３を埋設する場合は、名刺２の表面２Ａ又は裏面２Ｂにおける無線タグ２３の配設位置に、無線タグ２３が配設されていることを示す表示を付するか、或いは上記配設位置に透明部を設け、上記透明部から無線タグ２３が見えるようにするのが好ましい。
【００５０】
名刺２は、情報通信端末４の無線通信部４３から発信される周波数帯の電波を遮断しない素材であれば、樹脂や紙以外の素材で形成されてもよいが、樹脂により形成されるのが好ましい。名刺２を樹脂製とすることにより、紙製に比べて高い耐久性を確保できるし、生産性にも優れる。また、名刺２は、従来の名刺やクレジットカードと同等サイズのカード状であるのが好ましいが、カード状に限らず、細長板状、棒状、円板状、手首等に巻回可能なバンド状など、携帯性を損なわない範囲内で様々な形状を適用することができる。
【符号の説明】
【００５１】
１        情報管理システム
２        名刺
３        管理サーバ
４        情報通信端末
２１      被管理者情報
２２      二次元コード
２３      無線タグ
４２      カメラ部（コード読取手段）
４３      無線通信部（無線通信手段）
ＮＴ      外部通信ネットワーク
Ｐ１      管理者
Ｐ２      被管理者
【図１】
2020194226.tif 000003
【図２】
2020194226.tif 000004
【図３】
2020194226.tif 000005